(57)【要約】【課題】  ＬＥＤ列にオープンやショートが発生した場合における不必要なコイル電流の増大や電圧上昇を抑制することができ、システムの負担の軽減をはかる。【解決手段】  コイル１１とスイッチ素子１２を備えた昇圧型スイッチング電源に接続された複数のＬＥＤ列１５を駆動するためのＬＥＤ駆動装置であって、ＬＥＤ列１５のドライバー端子DOUTの電位を基準電圧Ｖ１と比較する複数のコンパレータ２１と、DOUTの電位を基準電圧Ｖ２と比較するコンパレータ２２と、DOUTの電位を制御電圧Ｖｃと比較する増幅器２４と、増幅器２４の出力に基づいて、DOUTの中の最も低い電位が制御電圧Ｖｃとなるようにスイッチ素子１２のオン／オフを制御すると共に、コンパレータ２１，２２の出力に基づいて、ＬＥＤ列１５のオープンを検出し、対応するＬＥＤ列１５を増幅器２４の制御対象から切り離すロジック回路２７とを備えた。【選択図】      図２
2009289897.tif 000002
【特許請求の範囲】
【請求項１】
コイルとスイッチ素子を備えた昇圧型スイッチング電源の出力端に接続された複数のＬＥＤ列を駆動するためのＬＥＤ駆動装置であって、
前記ＬＥＤ列にそれぞれ接続され、前記ＬＥＤ列の前記出力端と反対側の定電流ドライバー端子の電位を第１の基準電圧Ｖ１とそれぞれ比較し、ドライバー端子の電位が基準電圧Ｖ１より低くなったことを検出する第１のコンパレータと、
前記ＬＥＤ列の各ドライバー端子を入力端子とし、各ドライバー端子の電位を第２の基準電圧Ｖ２と比較し、ドライバー端子の電位の少なくとも１つが基準電圧Ｖ２よりも高くなったことを検出する第２のコンパレータと、
前記ＬＥＤ列の各ドライバー端子を入力端子とし、各ドライバー端子の電位を制御電圧Ｖｃと比較する増幅器と、
前記増幅器の出力に基づいて、前記ドライバー端子の中の最も低い電位が前記制御電圧Ｖｃとなるように前記スイッチ素子のオン／オフを制御すると共に、前記第１及び第２のコンパレータの出力に基づいて、前記ＬＥＤ列のオープンを検出して対応するＬＥＤ列を前記増幅器の制御対象から切り離し、且つ前記スイッチ素子の駆動を一時的に停止するロジック回路と、
を具備してなることを特徴とするＬＥＤ駆動装置。
【請求項２】
前記ロジック回路は、前記第１のコンパレータで前記ドライバー端子の電位が基準電圧Ｖ１よりも低くなったことが検出され、且つ前記第２のコンパレータで前記ドライバー端子の電位が基準電圧Ｖ２よりも高くなったことが検出されたときに、対応するＬＥＤ列を制御対象から切り離すと共に、前記ドライバー端子の電位の少なくとも１つが制御電圧Ｖｃに降下するまで前記スイッチ素子の駆動を停止することを特徴とする請求項１記載のＬＥＤ駆動装置。
【請求項３】
コイルとスイッチ素子を備えた昇圧型スイッチング電源の出力端に接続された複数のＬＥＤ列を駆動するためのＬＥＤ駆動装置であって、
前記ＬＥＤ列にそれぞれ接続され、前記ＬＥＤ列の前記出力端と反対側の定電流ドライバー端子の電位を第１の基準電圧Ｖ１とそれぞれ比較し、ドライバー端子の電位が基準電圧Ｖ１より高くなったことを検出する第１のコンパレータと、
前記ＬＥＤ列の各ドライバー端子を入力端子とし、各ドライバー端子の電位を基準電圧Ｖ２と比較し、ドライバー端子の少なくとも１つの電位が基準電圧Ｖ２よりも高くなったことを検出する第２のコンパレータと、
前記ＬＥＤ列の各ドライバー端子を入力端子とし、各ドライバー端子の電位を制御電圧Ｖｃと比較する増幅器と、
前記増幅器の出力に基づいて、前記ドライバー端子の中の最も低い電位が前記制御電圧Ｖｃとなるように前記スイッチ素子のオン／オフを制御すると共に、前記第１のコンパレータの出力に基づいて、前記ＬＥＤ列のショートを検出して対応するＬＥＤ列を前記増幅器の制御対象から切り離し、且つ前記第２のコンパレータの出力に基づいて、前記スイッチ素子の駆動を一時的に停止するロジック回路と、
を具備してなることを特徴とするＬＥＤ駆動装置。
【請求項４】
前記ロジック回路は、前記第１のコンパレータで前記ドライバー端子の電位が基準電圧Ｖ１よりも高くなったことが検出されたときに、対応するＬＥＤ列を制御対象から切り離すと共に、前記第２のコンパレータで制御対象から切り離されていない前記ドライバー端子の電位が基準電圧Ｖ２よりも高くなったことが検出されたときに、前記ドライバー端子の電位の少なくとも１つが制御電圧Ｖｃに降下するまで前記スイッチ素子の駆動を停止することを特徴とする請求項３記載のＬＥＤ駆動装置。
【請求項５】
コイルとスイッチ素子を備えた昇圧型スイッチング電源の出力端に接続された複数のＬＥＤ列を駆動するためのＬＥＤ駆動装置であって、
前記ＬＥＤ列にそれぞれ接続され、前記ＬＥＤ列の前記出力端と反対側の定電流ドライバー端子の電位を第１の基準電圧Ｖ１とそれぞれ比較し、ドライバー端子の電位が基準電圧Ｖ１より低くなったことを検出する第１のコンパレータと、
前記ＬＥＤ列にそれぞれ接続され、前記ドライバー端子の電位を第２の基準電圧Ｖ２とそれぞれ比較し、ドライバー端子の電位の少なくとも一つが基準電圧Ｖ２より高くなったことを検出する第２のコンパレータと、
前記ＬＥＤ列の各ドライバー端子を入力端子とし、各ドライバー端子の電位を制御電圧Ｖｃと比較する増幅器と、
前記増幅器の出力に基づいて、前記ドライバー端子の中の最も低い電位が前記制御電圧Ｖｃとなるように前記スイッチ素子のオン／オフを制御すると共に、前記第１及び第２のコンパレータの出力に基づいて、前記ＬＥＤ列のオープン及びショートを検出して対応するＬＥＤ列を前記増幅器の制御対象から切り離し、且つ前記スイッチ素子の駆動を一時的に停止するロジック回路と、
を具備してなることを特徴とするＬＥＤ駆動装置。
【発明の詳細な説明】
【技術分野】
【０００１】
本発明は、昇圧型電源により発生する電流を複数のＬＥＤ列に供給してＬＥＤを駆動するＬＥＤ駆動装置に関する。
【背景技術】
【０００２】
従来より、チャージポンプ方式の昇圧回路によりＬＥＤの駆動電圧を発生し、この駆動電圧により複数のＬＥＤに駆動電流を流すようにした各種のＬＥＤドライバーが提案されている（例えば、特許文献１参照）。
【０００３】
昇圧型の多段多チャンネル型ＬＥＤドライバーにおいては、あるチャンネルのＬＥＤがオープンになった場合、構成されている素子の最大耐圧以下程度に設定された電圧（ＯＶＰ：Over Voltage Protection）まで出力電圧を上昇させてシステムをストップさせるか、或いは該当する異常チャンネルを制御対象から切り離して正常な出力電圧に戻るようになっている。
【０００４】
しかし、この種のＬＥＤドライバーにおいては次のような問題があった。即ち、異常を検出してからシステムを停止させるまでの間、或いは異常チャンネルを切り離してから定常状態に戻るまでの間に、不必要なコイル電流の増大及び電圧上昇を招き、システムの負担が大きいと云う問題があった。
【特許文献１】特開２００２−８４０９号公報
【発明の開示】
【発明が解決しようとする課題】
【０００５】
本発明は、上記事情を考慮してなされたもので、その目的とするところは、ＬＥＤ列にオープンやショートが発生した場合における不必要なコイル電流の増大や電圧上昇を抑制することができ、システムの負担の軽減をはかり得るＬＥＤ駆動装置を提供することにある。
【課題を解決するための手段】
【０００６】
本発明の一態様は、コイルとスイッチ素子を備えた昇圧型スイッチング電源の出力端に接続された複数のＬＥＤ列を駆動するためのＬＥＤ駆動装置であって、前記ＬＥＤ列にそれぞれ接続され、前記ＬＥＤ列の前記出力端と反対側の定電流ドライバー端子の電位を第１の基準電圧Ｖ１とそれぞれ比較し、ドライバー端子の電位が基準電圧Ｖ１より低くなったことを検出する第１のコンパレータと、前記ＬＥＤ列の各ドライバー端子を入力端子とし、各ドライバー端子の電位を第２の基準電圧Ｖ２と比較し、ドライバー端子の電位の少なくとも１つが基準電圧Ｖ２よりも高くなったことを検出する第２のコンパレータと、前記ＬＥＤ列の各ドライバー端子を入力端子とし、各ドライバー端子の電位を制御電圧Ｖｃと比較する増幅器と、前記増幅器の出力に基づいて、前記ドライバー端子の中の最も低い電位が前記制御電圧Ｖｃとなるように前記スイッチ素子のオン／オフを制御すると共に、前記第１及び第２のコンパレータの出力に基づいて、前記ＬＥＤ列のオープンを検出して対応するＬＥＤ列を前記増幅器の制御対象から切り離し、且つ前記スイッチ素子の駆動を一時的に停止するロジック回路と、を具備してなることを特徴とする。
【０００７】
また、本発明の別の一態様は、コイルとスイッチ素子を備えた昇圧型スイッチング電源の出力端に接続された複数のＬＥＤ列を駆動するためのＬＥＤ駆動装置であって、前記ＬＥＤ列にそれぞれ接続され、前記ＬＥＤ列の前記出力端と反対側の定電流ドライバー端子の電位を第１の基準電圧Ｖ１とそれぞれ比較し、ドライバー端子の電位が基準電圧Ｖ１より高くなったことを検出する第１のコンパレータと、前記ＬＥＤ列の各ドライバー端子を入力端子とし、各ドライバー端子の電位を基準電圧Ｖ２と比較し、ドライバー端子の少なくとも１つの電位が基準電圧Ｖ２よりも高くなったことを検出する第２のコンパレータと、前記ＬＥＤ列の各ドライバー端子を入力端子とし、各ドライバー端子の電位を制御電圧Ｖｃと比較する増幅器と、前記増幅器の出力に基づいて、前記ドライバー端子の中の最も低い電位が前記制御電圧Ｖｃとなるように前記スイッチ素子のオン／オフを制御すると共に、前記第１のコンパレータの出力に基づいて、前記ＬＥＤ列のショートを検出して対応するＬＥＤ列を前記増幅器の制御対象から切り離し、且つ前記第２のコンパレータの出力に基づいて、前記スイッチ素子の駆動を一時的に停止するロジック回路と、を具備してなることを特徴とする。
【０００８】
また、本発明の更に別の一態様は、コイルとスイッチ素子を備えた昇圧型スイッチング電源の出力端に接続された複数のＬＥＤ列を駆動するためのＬＥＤ駆動装置であって、前記ＬＥＤ列にそれぞれ接続され、前記ＬＥＤ列の前記出力端と反対側の定電流ドライバー端子の電位を第１の基準電圧Ｖ１とそれぞれ比較し、ドライバー端子の電位が基準電圧Ｖ１より低くなったことを検出する第１のコンパレータと、前記ＬＥＤ列にそれぞれ接続され、前記ＬＥＤ列の定電流ドライバー端子の電位を第２の基準電圧Ｖ２とそれぞれ比較し、ドライバー端子の少なくとも一つの電位が基準電圧Ｖ２より高くなったことを検出する第２のコンパレータと、前記ＬＥＤ列の各ドライバー端子を入力端子とし、各ドライバー端子の電位を制御電圧Ｖｃと比較する増幅器と、前記増幅器の出力に基づいて、前記ドライバー端子の中の最も低い電位が前記制御電圧Ｖｃとなるように前記スイッチ素子のオン／オフを制御すると共に、前記第１及び第２のコンパレータの出力に基づいて、前記ＬＥＤ列のオープン及びショートを検出して対応するＬＥＤ列を前記増幅器の制御対象から切り離し、且つ前記スイッチ素子の駆動を一時的に停止するロジック回路と、を具備してなることを特徴とする。
【発明の効果】
【０００９】
本発明によれば、昇圧型の多段多チャンネル型ＬＥＤドライバー回路において、ＬＥＤ列がオープンになったチャンネル、或いはＬＥＤ列がショートしたチャンネルが発生した場合に、必要以上の出力電圧の上昇を抑え、更に異常チャンネルのみを動作対象から外すことができる。このため、正常な電圧への復帰の時間短縮・過剰なコイル電流発生を極力抑えることができ、システムの負担を軽減することができる。
【発明を実施するための最良の形態】
【００１０】
以下、本発明の詳細を図示の実施形態によって説明する。
【００１１】
（第１の実施形態）
図１は、本発明の第１の実施形態に係わるＬＥＤドライバーの基本構成を示す回路構成図である。
【００１２】
コイル１１、スイッチ素子１２、整流用ダイオード１３、及び平滑用コンデンサ１４等からなる昇圧型スイッチング電源に、本実施形態のＬＥＤドライバー２０が接続されている。なお、スイッチ素子１２はＬＥＤドライバー２０内に内蔵されており、コイル１１、ダイオード１３、及びコンデンサ１４は外付けされている。
【００１３】
スイッチング電源の出力端（出力電圧Ｖout）と複数のドライバー端子ＤＯＵＴとの間にそれぞれ、多段ＬＥＤからなる負荷１５が接続されている。ＬＥＤドライバー２０は、各ＤＯＵＴの電位を元にＬＥＤ列１５のオープンやショートを判定し、オープンやショートが生じても他のＬＥＤ列１５に一定の電流を供給するものとなっている。
【００１４】
図２は、本実施形態のＬＥＤドライバーを具体的に示す回路構成図である。この回路はＬＥＤ列のオープンを検出するものである。なお、説明を簡単にするために、図２ではＬＥＤ列を３列にしている。
【００１５】
複数のＬＥＤ列１５の各ドライバー端子（ＤＯＵＴ１〜３）はそれぞれ定電流源を介して接地端に接続されている。定電流源としては、電流値をトランジスタ比で決定するカレントミラー方式や抵抗比で決定する定電流方式を用いることができる。
【００１６】
ＤＯＵＴ１〜３の電位Ｄout は、それぞれ第１のコンパレータ２１（２１−１，２１−２，２１−３）に供給され、各々のコンパレータ２１で基準電位Ｖ１と比較される。そして、コンパレータ２１は、ＤＯＵＴの電位Ｄout が基準電圧Ｖ１より低くなったことを検出し、その検出出力をＡＮＤゲート２５（２５−１，２５−２，２５−３）の一方の入力端に供給するようになっている。
【００１７】
ＤＯＵＴ１〜３の電位Ｄout は、第２のコンパレータ２２の各入力端に供給され、このコンパレータ２２により第２の基準電位Ｖ２と比較される。そして、コンパレータ２２は、ＤＯＵＴの電位Ｄout の１つでも基準電圧Ｖ２よりも高くなったことを検出し、この検出出力をＡＮＤゲート２５の他方の入力端に供給するようになっている。
【００１８】
ＡＮＤゲート２５は、コンパレータ２１，２２の出力を入力することから、Ｄout＜Ｖ１，Ｄout＞Ｖ２のときにオープンを検出して“Ｈ”レベルが出力される。ＡＮＤゲート２５の各出力はロジック回路２７に供給される。そして、ロジック回路２７により、オープンが生じたＬＥＤ列１５のチャンネルを制御対象から切り離すようになっている。
【００１９】
ＤＯＵＴ１〜３の電位Ｄout は誤差増幅器２４の各入力端に供給され、この増幅器２４により制御電圧Ｖｃと比較される。誤差増幅器２４の出力はロジック回路２７に供給される。そして、ＤＯＵＴ１〜３のうちの最も低い電位Ｄout が制御電圧Ｖｃと等しくなるように、スイッチ素子１２を駆動するようになっている。
【００２０】
スイッチング電源の出力端の電位は、抵抗分割回路等を介して第３のコンパレータ２３に供給され、基準電圧Ｖ３と比較される。このコンパレータ２３は、構成されている素子の最大耐圧以下程度に設定された電圧（ＯＶＰ）を検出するものであり、その検出出力はロジック回路２７に供給されている。
【００２１】
次に、本実施形態による動作を従来例と比較して説明する。
【００２２】
前記図２に示すシステム構成において、誤差増幅器２４は、最も低い電圧のチャンネルを当該増幅器２４の制御電圧Ｖｃにするように機能する。いま、電源投入時の時点においてＬＥＤ列１５がオープンになったチャンネル（Ｄout1）が発生した場合、オープンチャンネルは限りなく０Ｖになっているため本来の制御電圧Ｖｃにならずに、昇圧回路の出力電圧Ｖout は上昇していく。その出力電圧は、例えばプロセスの耐圧で決定される電圧でリミッターを設けた場合（これを、ＯＶＰ電圧と呼称する）、このＯＶＰ電圧の検出信号（コンパレータ２３の出力）で当該オープンチャンネル（Ｄout1）をＯＦＦし、誤差増幅器２４の制御対象から外す。これにより、システムは正常な出力電圧Ｖout になるべく降下していく。
【００２３】
従来システムの場合、図３に示すように、ＯＶＰ電圧検出後、当該オープンチャンネル（Ｄout1）をオフし、誤差増幅器２４の制御対象から外す。一般に、誤動作回避のために設けられたヒステリシス電圧以下になるまでスイッチ素子１２をストップさせるが、それ以降はスイッチングが再始動して、スイッチング動作をしながら出力電圧Ｖout は降下していく。このため、出力電圧Ｖout が正常値になるまで時間がかかる。
【００２４】
これに対し本実施形態の場合、図４に示すように、ＯＶＰ電圧検出後、当該オープンチャンネル（Ｄout1）をオフし、誤差増幅器２４の制御対象から外す。さらに、正常な何れかのチャンネルの電圧Ｄout が誤差増幅器２４の制御電圧Ｖｃに降下するまでスイッチ素子１２の駆動を停止させる。スイッチ素子１２の駆動停止中は、出力に接続されている平滑コンデンサ１４の電荷が負荷電流によるディスチャージにより引き抜かれ、出力電圧Ｖout は降下していくこととなる。
【００２５】
これにより、正常な出力電圧Ｖout への復帰を早め、増大したコイル電流の早期減少をはかることが可能となる。
【００２６】
一方、動作中にあるチャンネルがオープンになった場合、従来システムでは図３に示すように、初期オープン時と同様に、出力電圧Ｖout はＯＶＰ電圧まで上昇する。そして、ＯＶＰ検出コンパレータ２３によるＯＶＰ電圧検出後、当該オープンチャンネル（Ｄout1）をオフし、誤差増幅器２４の制御対象から外す。そして、誤動作回避のために設けられたヒステリシス電圧以下になるまでスイッチ素子１２をストップさせるが、それ以降はスイッチングが再始動して、スイッチング動作をしながら出力電圧Ｖout は降下していく。このため、初期オープン時と同様に、出力電圧Ｖout が正常値になるまで時間がかかる。
【００２７】
これに対し本実施形態の場合、オープンチャンネル（Ｄout1）は限りなく０Ｖになり、誤差増幅器２４は最も低い電圧のチャンネル（Ｄout1）を当該増幅器２４の制御電圧にするように機能するので、出力電圧Ｖout は上昇する。このとき、出力電圧Ｖout のリミッターはＯＶＰではなく、図４に示すように、別系統の検出機能で不必要な出力電圧Ｖout の上昇を防ぐ。具体的には、基準電圧“Ｖ２”を持つコンパレータ２２（但し、Ｖ２＜ＯＶＰ）を設けて、ドライバー端子電圧Ｄout を監視し、不必要な電圧上昇を抑える。つまり、オープンチャンネル以外の正常なチャンネルの１チャンネルでも端子電圧Ｄout が基準電圧Ｖ２以上になった時点で当該オープンチャンネル（Ｄout1）をオフし、誤差増幅器２４の制御対象から外す。
【００２８】
さらに、スイッチ素子１２のスイッチング動作を停止すると共に、正常などれか１チャンネルでもドライバー端子電圧Ｄout が誤差増幅器２４の制御電圧Ｖｃに降下するまで停止させる。スイッチングの停止中は、昇圧回路の出力端に接続されている、平滑用コンデンサ１４の電荷が、負荷電流によるディスチャージにより引き抜かれ出力電圧Ｖout は降下していくこととなる。
【００２９】
これにより、正常な出力電圧Ｖout への復帰を早め、しかも過剰なコイル電流の増加を防ぐことが可能となる。
【００３０】
このように本実施形態によれば、ＬＥＤ列１５の何れかにオープンが発生した場合における不必要なコイル電流の増大や電圧上昇を抑制することができ、システム上の負担の軽減をはかることができる。
【００３１】
（第２の実施形態）
図５は、本発明の第２の実施形態に係わるＬＥＤドライバーを具体的に示す回路構成図である。この回路は、ＬＥＤ列のショートを検出するものであり、説明を簡単にするために、図５ではＬＥＤ列を３列にしている。なお、図２と同一部分には同一符号を付して、その詳しい説明は省略する。
【００３２】
複数のＬＥＤ列１５の各ドライバー端子（ＤＯＵＴ１〜３）は、先の第１の実施形態と同様に、それぞれ定電流源を介して接地端に接続されている。
【００３３】
ＤＯＵＴ１〜３の電位Ｄout はそれぞれ第１のコンパレータ３１（３１−１，３１−２，３１−３）に供給され、各々のコンパレータ３１で基準電位Ｖ１と比較される。そして、コンパレータ３１は、ＤＯＵＴの電位Ｄout が基準電圧Ｖ１より高くなったことを検出し、その検出出力をロジック回路２７に供給するようになっている。
【００３４】
ＤＯＵＴ１〜３の電位Ｄout は第２のコンパレータ２２の各入力端に供給され、このコンパレータ２２により第２の基準電位Ｖ２と比較される。そして、コンパレータ２２は、ＤＯＵＴ１〜３の電位Ｄout の１つでも基準電圧Ｖ２よりも高くなったこと検出し、この検出出力をロジック回路２７に供給するようになっている。
【００３５】
そして、ロジック回路２７により、コンパレータ３１の出力を基にショートが生じたＬＥＤ列１５のチャンネルを切り離すようになっている。
【００３６】
また、先の第１の実施形態と同様に、ＤＯＵＴ１〜３の電位Ｄout は誤差増幅器２４の各入力端に供給され、制御電圧Ｖｃと比較される。誤差増幅器２４の出力はロジック回路２７に供給され、ＤＯＵＴ１〜３のうちの最も低い電位Ｄout が制御電圧Ｖｃと等しくなるように、スイッチ素子１２を駆動するようになっている。さらに、スイッチング電源の出力端にはＯＶＰ検出のための第３のコンパレータ２３に接続され、コンパレータ２３の検出出力はロジック回路２７に供給されている。
【００３７】
次に、本実施形態による動作を従来例と比較して説明する。
【００３８】
従来技術の場合、ショート検出機能があるシステムの場合、あるチャンネル（Ｄout2）のＬＥＤがショートすると、コンパレータ３１により当該オープンチャンネルをオフし、誤差増幅器２４の制御対象から外す。
【００３９】
この場合、特に出力電圧の制御には関係ないが、多チャンネル同時にショートした場合で、同時に該当チャンネルがオフすると、図６に示すように、コイル電流過多による出力電圧Ｖout の上昇を招く。そして、スイッチ素子１２のスイッチング動作は継続しているので、正常な出力電圧Ｖout になるには時間がかかる。
【００４０】
これに対し本実施形態の場合、従来技術の場合と同様に、多チャンネル同時にショートした場合で、同時に該当チャンネルがオフすると、コイル電流過多による出力電圧Ｖout の上昇を招く。同時に、正常なチャンネルのＤout 電圧も上昇することとなる。しかし、本実施形態の場合は図７に示すように、正常なチャンネルの１つでも、コンパレータ２２の基準電圧Ｖ２以上になった場合は、スイッチ素子１２のスイッチング動作を停止する。そして、１チャンネルでもＤout 電圧が誤差増幅器２４の制御電圧Ｖｃに降下するまでスイッチング停止を継続する。
【００４１】
これにより、正常な出力電圧（Ｖout）への復帰を早め、しかも過剰なコイル電流の増加を防ぐことが可能である。
【００４２】
このように本実施形態によれば、ＬＥＤ列１５の何れかにショートが発生した場合における不必要なコイル電流の増大や電圧上昇を抑制することができ、システム上の負担の軽減をはかることができる。
【００４３】
（変形例）
なお、本発明は上述した各実施形態に限定されるものではない。第１の実施形態ではＬＥＤ列のオープンを検出し、第２の実施形態ではＬＥＤ列のショートを検出する回路としたが、これらの回路を組み合わせることにより、オープンとショートの両方を検出するようにしても良い。また、ＬＥＤ列のオープンやショートを検出する回路は前記図２又は図５に何ら限定されるものではなく、仕様に応じて適宜変更可能である。
【００４４】
その他、本発明の要旨を逸脱しない範囲で、種々変形して実施することができる。
【図面の簡単な説明】
【００４５】
【図１】第１の実施形態に係わるＬＥＤドライバーの基本構成を示す回路構成図。
【図２】第１の実施形態に係わるＬＥＤドライバーの具体的構成を示す回路構成図。
【図３】従来システムでオープンチャンネルが発生した場合の各信号の様子を示す図。
【図４】第１の実施形態においてオープンチャンネルが発生した場合の各信号の様子を示す図。
【図５】第２の実施形態に係わるＬＥＤドライバーの具体的構成を示す回路構成図。
【図６】従来システムでショートチャンネルが発生した場合の各信号の様子を示す図。
【図７】第２の実施形態においてショートチャンネルが発生した場合の各信号の様子を示す図。
【符号の説明】
【００４６】
１１…コイル
１２…スイッチ素子
１３…整流用ダイオード
１４…平滑用コンデンサ
１５…ＬＥＤ列
２０…ＬＥＤドライバー
２１，３１…第１のコンパレータ
２２…第２のコンパレータ
２３…第３のコンパレータ
２４…誤差増幅器
２５…ＡＮＤゲート
【図１】
2009289897.tif 000003
【図２】
2009289897.tif 000004
【図３】
2009289897.tif 000005
【図４】
2009289897.tif 000006
【図５】
2009289897.tif 000007
【図６】
2009289897.tif 000008
【図７】
2009289897.tif 000009